(57)【特許請求の範囲】
【請求項１】
マイクロリソグラフィ投影露光装置（１０）の照明系であって、
ａ）瞳平面（７６）と、
ｂ）投影光によって照明されるマスク（１６）を配置することができるマスク平面（８８）と、
ｃ）前記瞳平面（７６）に位置付けられた複数の２次光源（１０６）を生成するように構成された光学インテグレーター（６０）であって、該光学インテグレーター（６０）が、各々が該２次光源（１０６）のうちの１つに関連付けられた複数の光入射ファセット（７５）を含み、前記光入射ファセットの像が、前記マスク平面内で少なくとも実質的に重なる前記光学インテグレーター（６０）と、
ｄ）光射出面（５７）を有し、かつ空間分解方式で入射投影光を透過するように又は反射するように構成された空間光変調器（５２）と、
ｅ）投影光を前記空間光変調器上に向けるように構成された瞳形成ユニット（３６）と、
ｆ）前記空間光変調器（５２）の前記光射出面（５７）を前記光学インテグレーター（６０）の前記光入射ファセット（７５）上に該光射出面（５７）上の物体区域（１１０）の像（１１０’）が該光入射ファセット（７５）のうちの１つと完全に一致するように結像する対物系（５８）と、
ｇ）前記物体区域（１１０）が前記瞳形成ユニット（３６）によって完全に照明され、かつ該物体区域（１１０）内の点に関連付けられた投影光が前記光入射ファセット（７５）のうちの前記１つの上に入射することが少なくとも部分的かつ可変的に阻止されるように該瞳形成ユニット（３６）及び前記空間光変調器（５２）を制御するように構成された制御ユニット（９０）と、
を含むことを特徴とする照明系。
【請求項２】
前記瞳形成ユニット（３６）は、第１の反射性又は透過性ビーム偏向要素（４０）の第１のビーム偏向アレイ（３８）を含み、
各ビーム偏向要素（４０）は、該ビーム偏向要素（４０）によって生成される偏向角を変更することによって可変である位置で前記空間光変調器（５２）上のスポット（９４）を照明するように構成される、
ことを特徴とする請求項１に記載の照明系。
【請求項３】
前記空間光変調器（５２）は、第２の反射性又は透過性ビーム偏向要素（５６）の第２のビーム偏向アレイ（５４）を含み、
各第２のビーム偏向要素（５６）は、それが入射光を前記光学インテグレーター（６０）に向けて誘導する「オン」状態に及びそれが入射光をどこか他の場所に向ける「オフ」状態にあることが可能である、
ことを特徴とする請求項１又は請求項２に記載の照明系。
【請求項４】
前記第２のビーム偏向アレイ（５４）は、デジタルミラーデバイスであることを特徴とする請求項３に記載の照明系。
【請求項５】
少なくとも１０個の第２のビーム偏向要素（５６）が、前記物体区域（１１０）に配置されることを特徴とする請求項３又は請求項４に記載の照明系。
【請求項６】
前記物体区域（１１０）に配置された隣接する第２のビーム偏向要素（５６）の中心が、直線に沿って位置合わせされ、
前記直線の像（１１６）が、前記光入射ファセット（７５）のうちの前記１つの境界線に対して角度αを形成し、ここで、αは、ｍ＝０，１，２，３，．．．である時にｍ・４５°から明確に異なっている、
ことを特徴とする請求項３から請求項５のいずれか１項に記載の照明系。
【請求項７】
前記第２のビーム偏向要素（５６）の境界が、第１の矩形格子で配置され、前記光入射ファセット（７５）の境界が、第２の矩形格子で配置され、
前記光入射ファセット（７５）上に形成された前記第１の矩形格子の像（１１４）が、前記第２の矩形格子に対して前記角度αを形成する、
ことを特徴とする請求項６に記載の照明系。
【請求項８】
第１の方向（Ｘ）に沿った前記物体区域（１１０）の長さが、該第１の方向と直交する第２の方向（Ｙ）に沿った該物体区域の長さよりも大きく、
前記対物系（５８）は、倍率Ｍを有するアナモフィック対物系であり、｜Ｍ｜が、前記第２の方向（Ｙ）に沿ってよりも前記第１の方向（Ｘ）に沿って小さい、
ことを特徴とする請求項３から請求項７のいずれか１項に記載の照明系。
【請求項９】
前記第２の方向は、前記マスク（１６）が、それが前記照明系（１２）によって照明される間にそれに沿って移動する走査方向（Ｙ）に対応することを特徴とする請求項８に記載の照明系。
【請求項１０】
前記第２のビーム偏向要素（５６）は、前記光入射ファセット（７５）が配置された平面と平行である前記対物系（５８）の物体平面に配置され、
前記第２のビーム偏向要素（５６）は、ゼロから明確に異なる角度による入射光の偏向を「オン」状態で生成する、
ことを特徴とする請求項３から請求項９のいずれか１項に記載の照明系。
【請求項１１】
前記第２のビーム偏向要素（５６）は、前記光入射ファセットが配置された平面と平行である前記対物系の物体平面に配置され、
前記対物系（図２５の５８）は、物体側で非テレセントリックであり、かつ像側でテレセントリックである、
ことを特徴とする請求項３から請求項１０のいずれか１項に記載の照明系。
【請求項１２】
前記光学光変調器（５２）と前記マスク平面（８８）の間の光路に配置された散乱板（１２２）を含むことを特徴とする請求項３から請求項１１のいずれか１項に記載の照明系。
【請求項１３】
前記空間光変調器（５２）の前記光射出面（５７）上の全ての物体区域（１１０）の少なくとも半分が、前記瞳形成ユニット（３６）によって完全に照明されることを特徴とする請求項１から請求項１２のいずれか１項に記載の照明系。
【請求項１４】
前記物体区域（１１０）上に前記第１のビーム偏向要素（４０）によって生成される前記光点（９４）は、該物体区域よりも大きいことを特徴とする請求項２に記載の照明系。
【請求項１５】
前記光学光変調器（５２）の前記光射出面（５７）上の前記物体区域（１１０）は、能動物体区域（１１０）内の点に関連付けられた投影光が前記光入射ファセット（７５）のうちの前記１つの上に入射することを阻止することができるような該能動物体区域であり、
前記空間光変調器（５２）は、受動物体区域内の点に関連付けられた投影光が前記光入射ファセット（７５）のうちの前記１つの上に入射することを阻止することができないような該受動物体区域である別の物体区域（１４０）を含む、
ことを特徴とする請求項１から請求項１４のいずれか１項に記載の照明系。
【請求項１６】
前記瞳形成ユニット（３６）によって前記空間光変調器（５２）上に生成される照射が、前記受動物体区域上よりも前記能動物体区域（１１０）上でより高いことを特徴とする請求項１５に記載の照明系。
【請求項１７】
前記受動物体区域及び前記能動物体区域は、前記照明系（１２）の光軸（ＯＡ）に関して互いに点対称に配置されることを特徴とする請求項１５又は請求項１６に記載の照明系。
【請求項１８】
前記光学光変調器（５２）は、複数の能動物体区域（１１０）と複数の受動物体区域を含み、
各受動物体区域が、前記能動物体区域のうちの１つに対して点対称に配置される、
ことを特徴とする請求項１７に記載の照明系。
【請求項１９】
前記光学光変調器（５２）の前記光射出面（５７）は、前記光入射ファセット（７５）上に結像されない区域（１３０）によって分離された物体区域（１１０）の群（５４−１、５４−２）を含み、
前記対物系（５８）は、前記物体区域（１１０）の前記像（１１０’）を該物体区域の該像（１１０’）が前記光学インテグレーター（６０）上で当接するように組み合わせるように構成される、
ことを特徴とする請求項１から請求項１４のいずれか１項に記載の照明系。
【請求項２０】
前記対物系（５８）は、
ａ）各第１の光学要素が中間像平面（１３２）に前記群（５４−１、５４−２）のうちの１つの拡大像を形成する第１の光学要素（１３４）の第１のアレイと、
ｂ）前記中間像平面（１３２）を前記光入射ファセット（７５）上に結像する結像光学系（１３８）と、
を含む、
ことを特徴とする請求項１８に記載の照明系。
【発明の詳細な説明】
【技術分野】
【０００１】
本発明は、一般的に、マイクロリソグラフィ露光装置内のマスクを照明するための照明系に関し、具体的には、瞳平面に複数の２次光源を生成するように構成された光学インテグレーターを含むそのような系に関する。本発明は、更に、そのような照明系を作動させる方法に関する。
【背景技術】
【０００２】
マイクロリソグラフィ（フォトリソグラフィ又は簡易的にリソグラフィとも呼ばれる）は、集積回路、液晶ディスプレイ、及び他の微細構造化デバイスの製作のための技術である。マイクロリソグラフィ処理は、エッチング処理との併用で基板、例えば、シリコンウェーハ上に形成された薄膜スタック内に特徴部をパターン化するのに使用される。製作の各層では、ウェーハは、深紫外（ＤＵＶ）光のような放射線に敏感な材料であるフォトレジストで最初に被覆される。次いで、フォトレジストをその上に有するウェーハは、投影露光装置内で投影光に露光される。装置は、パターンを含むマスクをフォトレジスト上にフォトレジストがマスクパターンによって決定されるある一定の場所でのみ露光されるように投影する。露光後に、フォトレジストが現像され、マスクパターンに対応する像が生成される。次いで、エッチング処理は、パターンをウェーハ上の薄膜スタック内に転写する。最後に、フォトレジストが除去される。異なるマスクを用いたこの工程の反復は、多層微細構造化構成要素をもたらす。
【０００３】
一般的に、投影露光装置は、光源と、光源によって生成された投影光でマスクを照明する照明系と、マスクを位置合わせするためのマスク台と、投影対物系と、フォトレジストで被覆されたウェーハを位置合わせするためのウェーハ位置合わせ台とを含む。照明系は、例えば、矩形又は湾曲スリットの形状を有することができるマスク上の視野を照明する。
【０００４】
現在の投影露光装置では、２つの異なるタイプの装置の間で区別を付けることができる。一方のタイプでは、ウェーハ上の各ターゲット部分は、マスクパターン全体をこのターゲット部分の上に１回で露光することによって照射される。そのような装置は、一般的にウェーハステッパと呼ばれる。一般的にステップアンドスキャン装置又はスキャナと呼ばれる他方のタイプの装置では、各ターゲット部分は、マスクパターンを投影ビームの下で走査方向に徐々に走査し、一方、同時に基板をこの方向と平行又は逆平行に移動することによって照射される。ウェーハの速度とマスクの速度の比は、通常は１よりも小さく、例えば、１：４である投影対物系の倍率に等しい。
【０００５】
「マスク」（又はレチクル）という表現は、パターン化手段として広義に解釈されるものとすることは理解されるものとする。一般的に使用されるマスクは、不透過性又は反射性のパターンを含み、例えば、バイナリ、交互位相シフト、減衰位相シフト、又は様々な混成マスクタイプとすることができる。しかし、能動マスク、例えば、プログラム可能ミラーアレイとして達成されるマスクも存在する。更に、プログラム可能ＬＣＤアレイを能動マスクとして使用することができる。
【０００６】
微細構造化デバイスを生成するための技術が進歩すると、照明系に対しても絶えず高まる要求が存在する。理想的には、照明系は、マスク上の照明視野の各点を十分に定められた空間照射分布及び角度照射分布を有する投影光で照明する。角度照射分布という表現は、マスク平面内の特定の点に向けて収束する光束の全光エネルギが、光束を構成する光線の様々な方向の間でどのように分布されるかを表している。
【０００７】
マスク上に入射する投影光の角度照射分布は、通常、フォトレジスト上に投影されるパターンのタイプに適応される。多くの場合に、角度照射分布は、パターン内に含まれる特徴部のサイズ、向き、及びピッチに依存する。最も一般的に使用される投影光角度照射分布は、従来照明設定、環状照明設定、及び二重極照明設定、及び四重極照明設定と呼ばれる。これらの表現は、照明系の瞳平面内の照射分布を意味する。例えば、環状照明設定を使用すると、瞳平面内で環状領域だけが照明される。従って、投影光の角度照射分布には小さい角度範囲しか存在せず、全ての光線は、マスク上に類似の角度で斜方入射する。
【０００８】
当業技術では、望ましい照明設定を達成するためにマスク平面内の投影光の角度照射分布を修正するための様々な手段が公知である。最も単純な場合に、照明系の瞳平面に１又は２以上の開口を含む絞り（ダイヤフラム）が位置決めされる。瞳平面内の場所は、マスク平面のようなフーリエ関連視野平面内の角度に変換されるので、瞳平面内の開口のサイズ、形状、及び場所は、マスク平面内の角度照射分布を決定する。しかし、照明設定のいずれかの変更は、絞りの交換を必要とする。絞りの交換は、僅かに異なるサイズ、形状、又は場所を有する開口を有する非常に多くの個数の絞りを必要とすることになるので、照明設定を微調節することは困難になる。更に、絞りの使用は、光損失、従って、装置のスループットの低下を不可避にもたらす。
【０００９】
従って、多くの一般的な照明系は、瞳平面の照明を少なくともある一定の範囲で連続的に変更することを可能にする調節可能要素を含む。多くの照明系は、瞳平面に望ましい空間照射分布を生成するために交換可能な回折光学要素を使用する。回折光学要素と瞳平面の間にズーム光学系と１対のアキシコン要素とが設けられる場合に、この空間照射分布を調節することが可能である。
【００１０】
近年、瞳平面を照明するミラーアレイを使用することが提案されている。ＥＰ  １  ２６２  ８３６  Ａ１では、ミラーアレイは、１０００個よりも大きい微小ミラーを含むマイクロ電気機械システム（ＭＥＭＳ）として達成されている。ミラーの各々は、互いに対して垂直な２つの異なる平面内で傾斜させることができる。従って、そのようなミラーデバイス上に入射する放射線は、（実質的に）あらゆる望ましい半球方向に反射することができる。ミラーアレイと瞳平面の間に配置されたコンデンサーレンズは、ミラーによって生成された反射角を瞳平面内の場所に変換する。この公知の照明系は、複数のスポットで瞳平面を照明することを可能にし、各スポットは、１つの特定の微小ミラーに関連付けられ、かつこのミラーを傾斜させることによって瞳平面内で自由に移動可能である。
【００１１】
類似の照明系は、ＵＳ  ２００６／００８７６３４  Ａ１、ＵＳ  ７，０６１，５８２  Ｂ２、ＷＯ  ２００５／０２６８４３  Ａ２、及びＷＯ  ２０１０／００６６８７  Ａ１から公知である。ＵＳ  ２０１０／０１５７２６９  Ａ１は、マイクロミラーアレイがマスク上に直接結像される照明系を開示している。
【００１２】
上述のように、通常、マスク上の全ての点は、少なくとも走査積分の後では同じ照射分布及び角度照射分布を有するように照明することが望ましい。マスク上の点が異なる照射で照明される場合に、通常、ウェーハレベル上で臨界寸法（ＣＤ）の望ましくない変化をもたらす。例えば、照射変動の存在下では、感光体上でマスク上の均一な線の像は、その長さに沿って照射変動を有する可能性もある。レジストの固定露光閾値の理由から、そのような照射変動は、線の像によって定められるべき構造の幅変動に直接的に変換される。
【００１３】
角度照射分布がマスク上の照明視野にわたって変化する場合に、感光面上に生成される像の品質に対して同じく悪影響を有する。例えば、角度照射分布が完全には均衡でない場合に、すなわち、一方の側からその反対側からよりも多い光がマスク点上に入射する場合に、感光面が投影対物系の焦点面内に完全に配置されていないと、感光面上の共役像点が横方向にシフトされることになる。
【００１４】
ＵＳ  ６，４０４，４９９  Ａ及びＵＳ  ２００６／０２４４９４１  Ａ１は、照明視野内の空間照射分布を修正するために、横並びに配置されて走査方向と平行に位置合わせされた不透過性の指状絞り要素の２つの対向するアレイを含む機械的デバイスを提案している。互いに対向する絞り要素の各対は、これらの絞り要素の両端の間の距離が変更されるように走査方向に沿って変位させることができる。このデバイスが、対物系によってマスク上に結像される照明系の視野平面に配置される場合に、走査方向に沿った幅を交差走査方向に沿って変更することができるスリット形照明視野を生成することができる。照射は走査処理中に積分されるので、照明視野内の複数の交差走査位置に関して積分照射（時に照明投与量とも呼ばれる）を微調節することができる。
【００１５】
残念ながら、これらのデバイスは、機械的に非常に複素で高価である。これは、これらのデバイスを通常は可動視野絞りのブレードが配置される視野平面に又はその直近に配置しなければならないという事実にも起因する。
【００１６】
角度照射分布を視野依存方式で調節するのは、より困難である。これは、主として、空間照射分布が空間座標ｘ、ｙのみの関数であるのに対して、角度照射分布が角度α、βにも依存するという理由からである。
【００１７】
ＷＯ  ２０１２／１００７９１  Ａ１は、照明系の瞳平面に望ましい照射分布を生成するために第１のミラーアレイが使用される照明系を開示している。複数の光入射ファセットを有する光学インテグレーターが、瞳平面の直近に配置される。すなわち、光入射ファセットの像は、マスク上で重ね合わされる。ミラーアレイによって生成される光点は、光入射ファセットの全面積よりも少なくとも５倍小さい面積を有する。従って、光入射ファセット上に可変光パターンを生成することができる。このようにして、照明視野の異なる部分の上に異なる角度照射分布を生成することができる。すなわち、例えば、照明視野内で与えられた時点にＸ二重極及びＹ二重極証明設定を生成することが可能である。
【００１８】
異なる照明設定を有する各部分の境界が鮮明に境界付けられることを保証するために、デジタルミラーデバイス（ＤＭＤ）として構成された第２のミラーアレイを使用することが提案されている。この第２のミラーアレイは、第１のミラーアレイによって照明され、かつ対物系によって光入射ファセット上に結像される。第２のミラーアレイのマイクロミラーのより大きい群を「オフ」状態にすることにより、鮮明な境界を有する光入射ファセット上の照射分布を生成することが可能である。
【００１９】
しかし、第１のミラーアレイを用いて非常に多くの非常に小さい自由に移動可能な光点を生成するのは困難であるという結果になった。更に、この従来技術の照明系は、主として、照明視野内の異なる部分に完全に異なる照明設定を生成することに関するものである。この理由から、通常、光入射ファセットは完全には照明されず、単に部分的に照明される。
【先行技術文献】
【特許文献】
【００２０】
【特許文献１】ＥＰ  １  ２６２  ８３６  Ａ１
【特許文献２】ＵＳ  ２００６／００８７６３４  Ａ１
【特許文献３】ＵＳ  ７，０６１，５８２  Ｂ２
【特許文献４】ＷＯ  ２００５／０２６８４３  Ａ２
【特許文献５】ＷＯ  ２０１０／００６６８７  Ａ１
【特許文献６】ＵＳ  ２０１０／０１５７２６９  Ａ１
【特許文献７】ＵＳ  ６，４０４，４９９  Ａ
【特許文献８】ＵＳ  ２００６／０２４４９４１  Ａ１
【特許文献９】ＷＯ  ２０１２／１００７９１  Ａ１
【特許文献１０】ＵＳ  ２００９／０１１６０９３  Ａ１
【非特許文献】
【００２１】
【非特許文献１】Ｅ．Ｄｅｌａｎｏ著「１次設計及び（省略）図（Ｆｉｒｓｔ−ｏｒｄｅｒ  Ｄｅｓｉｇｎ  ａｎｄ  ｔｈｅ  （省略）  Ｄｉａｇｒａｍ）」、Ａｐｐｌｉｅｄ  Ｏｐｔｉｃｓ、１９６３年、第２巻第１２号、１２５１〜１２５６ページ
【００２２】
なお、非特許文献１の省略部分を補った名称は、「Ｅ．Ｄｅｌａｎｏ著「１次設計及び
0006343344.tif 000002
図（Ｆｉｒｓｔ−ｏｒｄｅｒ  Ｄｅｓｉｇｎ  ａｎｄ  ｔｈｅ  
0006343344.tif 000003
Ｄｉａｇｒａｍ）」、Ａｐｐｌｉｅｄ  Ｏｐｔｉｃｓ、１９６３年、第２巻第１２号、１２５１〜１２５６ページ」である。
【発明の概要】
【発明が解決しようとする課題】
【００２３】
本発明の目的は、空間照射分布と角度照射分布の両方を視野依存方式で調節することができるマイクロリソグラフィ投影露光装置の照明系を提供することである。これは、照明視野内の異なる点で照射分布と角度照射分布とを異なって調節することが可能であるべきであることを意味する。
【課題を解決するための手段】
【００２４】
本発明により、上述の目的は、瞳平面と、投影光によって照明されるマスクを配置することができるマスク平面と、光学インテグレーターとを含む照明系によって達成される。光学インテグレーターは、瞳平面に位置する複数の２次光源を生成するように構成される。光学インテグレーターは、各々が２次光源のうちの１つに関連付けられる複数の光入射ファセットを含む。光入射ファセットの像は、マスク平面内で少なくとも実質的に重なる。照明系は、光射出面を有し、かつ空間分解方式で入射投影光を透過又は反射するように構成された空間光変調器と、投影光を空間光変調器上に向けるように構成された瞳形成ユニットと、光射出面上の物体区域の像が光入射ファセットのうちの１つと完全に一致するように空間光変調器の光射出面を光学インテグレーターの光入射ファセット上に結像する対物系とを更に含む。制御ユニットは、物体区域が瞳形成ユニットによって完全に照明され、かつ物体区域内の点に関連付けられた投影光が光入射ファセットのうちの１つの上に入射することが少なくとも部分的かつ可変的に阻止されるように瞳形成ユニット及び空間光変調器を制御するように構成される。
【００２５】
本発明は、光入射ファセット上に照射分布の鮮明な縁部を生成するだけのために空間光変調器を使用する代わりに、光入射ファセット上に結像される物体区域が完全に照明される場合に、鮮明な縁部の必要がなくなるように照射分布を修正するためにこの空間光変調器を使用することもできるという認識に基づいている。
【００２６】
上述の方式で制御される空間光変調器を使用することで、従来技術の照明系において空間照射分布を交差走査方向に沿って調節し、同時にマスクレベルにおいて視野依存方式で角度照射分布を柔軟に調節するのに使用される複雑な機械的デバイスを省略することができる。幾何学的光学流束は光学インテグレーターの前で小さいので、空間光変調器の光射出面を光入射ファセット上に結像する対物系は、極めて少数の好ましくは球面形のレンズを用いて実現することができる。
【００２７】
照明系の全ての構成要素は、純粋に反射性とすることができるので、本発明は、原理的にＥＵＶ照明系に対して使用することができる。
【００２８】
瞳形成ユニットは、光学インテグレーターの光入射ファセット上に結像される空間光変調器上の照射分布を定めるための回折光学要素を含むことができる。この照射分布の微調節に向けて、回折光学要素と空間光変調器の間の光路内にズーム光学系及び／又は１対のアキシコン要素を配置することができる。
【００２９】
瞳形成ユニットが、第１の反射性又は透過性のビーム偏向要素の第１のビーム偏向アレイを含む場合に、空間光変調器上での照射分布のより柔軟な設定が可能である。各ビーム偏向要素は、ビーム偏向要素によって生成される偏向角を変更することによって可変である位置で空間光変調器上のスポットを照明するように構成される。
【００３０】
空間光変調器は、透過タイプ又は反射タイプのものとすることができ、かつ入射光を減衰するか、完全に遮蔽するか、又は偏向するために使用することができる要素アレイを含むことができる。例えば、空間光変調器は、制御ユニットによって個々に制御することができる光学活性を有するＬＣＤセルの２次元アレイを含むＬＣＤパネルとして構成することができる。透過タイプの変調器では、物体区域は、通常はその裏側から照明される。
【００３１】
一実施形態において、空間光変調器は、第２の反射性又は透過性のビーム偏向要素の第２のビーム偏向アレイを含む。各第２のビーム偏向要素は、入射光を光学インテグレーターに向けて誘導する「オン」状態と、入射光をいずれかの他の場所、例えば、光吸収面上に向ける「オフ」状態とにあることができる。そのような第２のビーム偏向アレイは、数百万個の個々のマイクロミラーを含むことができるデジタルミラーデバイスとして構成することができる。
【００３２】
一般的に、物体区域に配置される第２のビーム偏向要素の個数が多い程、照射分布及び角度照射分布の視野依存調節の空間分解能は良好である。好ましくは、少なくとも１０個、更に好ましくは、少なくとも５０個の第２のビーム偏向要素が物体区域に配置される。
【００３３】
一実施形態において、物体区域に配置された隣接する第２のビーム偏向要素の中心は、直線に沿って位置合わせされる。この直線の像は、光入射ファセットのうちの上記１つの境界線に対して角度αを形成し、αは、ｍ＝０，１，２，３，．．．である時にｍ・４５°と明確に異なる。光入射面に対する第２のビーム偏向アレイのそのような斜方配置を使用すると、照明視野内で減衰率が異なる交差走査位置の間の距離が短縮される。
【００３４】
例えば、第２のビーム偏向要素の境界は、第１の矩形格子で配置することができ、光入射ファセットの境界は、第２の矩形格子で配置することができる。次に、光入射ファセット上に形成される第１の矩形格子の像は、第２の矩形格子に対して角度αを形成する。
【００３５】
マスクが、照明系によって照明される間に走査方向に沿って移動する場合に、マスク上の点での照射分布及び角度照射分布は、走査処理中に、すなわち、マスク上の点が照明視野を通って移動する間に照射分布及び角度照射分布を積分することによって得られる。この理由から、照射分布及び角度照射分布の視野依存を微調節することができることを保証するために、交差走査方向に沿って多くの個数の第２のビーム偏向要素を設けるが、走査方向に沿っては少数のビーム偏向要素しか設けなくても十分とすることができる。通常、これは、第１の方向に沿った物体区域の長さが、第１の方向と直交する第２の方向に沿った物体区域の長さよりも大きくなければならないことを意味する。次に、対物系は、｜Ｍ｜が第２の方向よりも第１の方向に沿って小さい倍率Ｍを有するアナモフィック対物系でなければならない。アナモフィック対物系は、細長の物体区域の像が細長ではなく、光入射ファセットの形状（通常は正方形）と一致することを保証する。
【００３６】
アナモフィック対物系を使用する代わりに又はそれに加えて、瞳平面と一致する前側焦点面と第２の方向よりも第１の方向に沿って短い焦点距離ｆとを有するアナモフィックコンデンサーを使用することが可能である。
【００３７】
一般的に、光入射ファセットが配置された平面と平行な対物系の物体平面内に第２のビーム偏向要素が配置される場合が好ましい。この配置は、第２のビーム偏向要素が、「オン」状態において入射光のゼロとは明確に異なる角度の偏向をもたらすように構成される場合に達成することができる。これに加えて又はこれに代えて、対物系は、物体側で非テレセントリックとし、像側でテレセントリックとすることができる。
【００３８】
一般的に、第１のビーム偏向アレイによって物体区域上に生成される光点は、物体区域よりも大きくなる。しかし、本発明は、スポットが物体区域よりも小さい場合にも使用することもできる。
【００３９】
第２のビーム偏向要素の間の間隙は、光学インテグレーターの光入射ファセットを通して最終的に照明視野上に結像されるので、この結像が照明視野内の空間照射分布及び角度照射分布の均一性を損なうことのないような対策を取らなければならない。この目的に対して、光学光変調器とマスク平面の間の光路内、好ましくは、視野平面の近くに散乱板を配置することができる。散乱板は、光入射ファセット上の照射分布を不鮮明にし、従って、照明視野内に暗線が発生しないことを保証する。
【００４０】
光学光変調器の光射出面上の物体区域が、区域内の点に関連付けられた投影光が光入射ファセットのうちの１つの上に入射することを阻止することができるような能動物体区域であると考えられる場合に、空間光変調器は、区域内の点に関連付けられた投影光が光入射ファセットのうちの１つの上に入射することを阻止することができないような受動物体区域である別の物体区域を含むことができる。能動物体区域と受動物体区域とのそのような組合せは、光学光変調器によって能動物体区域内に生成される空間分解能が非常に高くなる場合に特に好適とすることができる。光学光変調器が、例えば、デジタルミラーデバイスとして構成される場合に、通常は光入射ファセットの個数が多いので、同じく莫大な個数のマイクロミラーを必要とすることになる。そのような莫大な個数のマイクロミラーを有するデジタルミラーデバイスは、未だ容易には利用可能でない可能性がある。この理由から、例えば、従来のデジタルミラーデバイスによって形成された小さめの能動物体区域と、これらの区域の間にある例えば平面ミラーとして達成される受動物体区域とで光学光変調器を組み立てることが好適である場合がある。そのような配置は、多くの場合に、全ての光入射ファセットではなく、そのうちの一部の上の照射分布だけを修正することしか必要ではないので有用である場合がある。
【００４１】
極均衡を維持するために、瞳形成ユニットによって空間光変調器上に生成される照射は、受動物体区域よりも能動物体区域の上で高くすることができる。このより高い照射は、光が光入射ファセットに到達することを阻止することによって引き起こされる光損失を補償する。
【００４２】
好ましくは、受動物体区域と能動物体区域は、照明系の光軸に関して互いに点対称に配置される。これは、マスク上の点に収束する光束のエネルギ均衡（テレセントリック性）を常に調節することができることを保証する。次に、光射出面の全面積の約半分を能動物体区域によって覆うことができ、他方の半分を受動物体区域によって覆うことができる。
【００４３】
光学光変調器の光射出面が、光入射ファセット上に結像されない区域によって分離される物体区域の群を含む場合に、対物系は、物体区域の像が光入射ファセット上で当接するように、能動物体区域の像を組み合わせるように構成することができる。
【００４４】
特に、対物系は、各第１の光学要素が物体区域のうちの１つの拡大像を中間像平面に形成する第１の光学要素の第１のアレイと、中間像平面を光入射ファセット上に結像する結像光学系とを含むことができる。
【００４５】
本発明の主題はまた、ａ）光射出面を有し、かつ空間分解方式で入射投影光を透過又は反射するように構成され、光射出面が投影光によって完全に照明される物体区域を含む空間光変調器上に投影光の照射分布を生成する段階と、ｂ）物体区域の像が光入射ファセットと完全に一致するように光射出面上の物体区域を光学インテグレーターの光入射ファセット上に結像する段階と、ｃ）物体区域内の点に関連付けられた投影光が光入射ファセット上に入射することから少なくとも部分的に阻止されるように空間光変調器を制御する段階とを含むマイクロリソグラフィ投影露光装置の照明系を作動させる方法である。
【００４６】
本発明の主題はまた、ａ）空間光変調器（５２）上の物体区域（１１０）を完全に照明する段階と、ｂ）物体区域（１１０）を光学インテグレーター（６０）の光入射ファセット（７５）上に結像する段階と、ｃ）物体区域内の点に関連付けられた全ての光が光入射ファセット上に入射することを阻止する段階とを含むマイクロリソグラフィ投影露光装置の照明系を作動させる別の方法である。
【００４７】
定義
本明細書では、いずれかの電磁放射線、特に可視光、ＵＶ光、ＤＵＶ光、ＶＵＶ光、及びＥＵＶ光、並びにＸ線を表す上で「光」という表現を使用する。
【００４８】
本明細書では、線で表すことができる伝播経路を有する光を表す上で「光線」という表現を使用する。
【００４９】
本明細書では、視野平面に共通の起点を有する複数の光線を表す上で「光束」という表現を使用する。
【００５０】
本明細書では、特定のレンズ又は別の光学要素を通過する全ての光を表す上で「光ビーム」という表現を使用する。
【００５１】
本明細書では、３次元空間内の物体の基準点の場所を表す上で「位置」という表現を使用する。通常、位置は、１組の３つの直交座標によって示される。従って、向きと位置は、３次元空間内の物体の配置を完全に表している。
【００５２】
本明細書では、３次元空間内のいずれかの平面又は曲面を表す上で「面」という表現を使用する。面は、物体の一部とすることができ、又は通常は視野平面又は瞳平面の場合にそうであるように、物体から完全に分離されたものとすることができる。
【００５３】
本明細書では、マスク平面又はマスク平面と光学的に共役なあらゆる他の平面を表す上で「視野平面」という表現を使用する。
【００５４】
「瞳平面」という表現は、視野平面に対して（少なくとも近似的に）フーリエ関係が確立される平面である。一般的に、マスク平面内の異なる点を通過する周辺光線が、瞳平面内で交わり、主光線が光軸と交わる。当業技術で通例であるように、瞳平面が実際には数学的な意味で平面ではなく、若干湾曲しており、従って、厳密な意味では瞳面と呼ぶべきである場合であっても「瞳平面」とう表現を使用する。
【００５５】
本明細書では、位置に依存しない特性を表す上で「均一」という表現を使用する。
【００５６】
本明細書では、他の同一又は類似な光学ラスター要素と共に配置され、複数の隣接する光学チャネルのうちの１つに各々が関連付けられるいずれかの光学要素、例えば、レンズ、プリズム、又は回折光学要素を表す上で「光学ラスター要素」という表現を使用する。
【００５７】
本明細書では、ＮＡが開口数であり、ａが照明視野面積である時に、積ＮＡ・ａを増大させる光学系を表す上で「光学インテグレーター」という表現を使用する。
【００５８】
本明細書では、２つの平面の間、例えば、視野平面と瞳平面の間にフーリエ関係を確立する（少なくとも近似的に）光学要素又は光学系を表す上で「コンデンサー」という表現を使用する。
【００５９】
本明細書では、結像関係がその間に確立される複数の平面を表す上で「共役平面」という表現を使用する。共役平面の概念に関するより多くの情報は、Ｅ．Ｄｅｌａｎｏ著、論文名「１次設計及び
0006343344.tif 000004
図（Ｆｉｒｓｔ−ｏｒｄｅｒ  Ｄｅｓｉｇｎ  ａｎｄ  ｔｈｅ  
0006343344.tif 000005
Ｄｉａｇｒａｍ）」、Ａｐｐｌｉｅｄ  Ｏｐｔｉｃｓ、１９６３年、第２巻第１２号、１２５１〜１２５６ページに記載されている。
【００６０】
本明細書では、視野平面内の位置への物理量のいずれかの関数依存性を表す上で「視野依存性」という表現を使用する。
【００６１】
本明細書では、光が入射する実面又は虚面にわたって全照射がどのように変化するかを表す上で「空間照射分布」という表現を使用する。通常、空間照射分布は、ｘ、ｙが面上の点の空間座標である時に関数Ｉs（ｘ，ｙ）によって表すことができる。
【００６２】
本明細書では、光束の照射が、光束を構成する光線の角度に依存してどのように変化するかを表す上で「角度照射分布」という表現を使用する。通常、角度照射分布は、α、βが光線の方向を表す角座標である時に関数Ｉa（α，β）によって表すことができる。角度照射分布が視野依存性を有する場合に、Ｉaは、視野座標の関数、すなわち、Ｉa＝Ｉa（α，β，ｘ，ｙ）にもなる。角度照射分布の視野依存性は、ｘ、ｙにおけるＩa（α，β，ｘ，ｙ）のテイラー（又は別の適切な）展開の１組の展開係数ａijによって表すことができる。
【００６３】
以下に続く詳細説明を添付図面に関連付けて参照することで、本発明の様々な特徴及び利点をより容易に理解することができる。
【図面の簡単な説明】
【００６４】
【図１】本発明の一実施形態による投影露光装置の略斜視図である。
【図２】角度照射分布の様々な欠点を示す図１に示す投影露光装置によって投影されるマスクの拡大斜視図である。
【図３】図１に示す装置の一部である照明系を通る子午断面図である。
【図４】図３に示す照明系内に含まれる第１のミラーアレイの斜視図である。
【図５】図３に示す照明系内に含まれる第２のミラーアレイの斜視図である。
【図６】図３に示す照明系内に含まれる光学インテグレーターの斜視図である。
【図７】図４及び図５に示す第１及び第２のミラーアレイを通る略子午断面図である。
【図８】図５に示す第２のミラーアレイであるが、２つの極によって照明されたミラーアレイの斜視図である。
【図９】図６に示す光学インテグレーターであるが、２つの極によって照明されたインテグレーターの斜視図である。
【図１０】ミラーアレイ、コンデンサー、及び光学ラスター要素アレイのみを示す照明系の一部分を通る略子午断面図である。
【図１１ａ】図３に示す第２のミラーアレイの上面図である。
【図１１ｂ】図３に示す光学インテグレーターの上面図である。
【図１２】光学インテグレーターの光入射ファセット上の照射分布を示す図である。
【図１３】図１２に示す光入射ファセットによって生成されたＸ方向に沿う走査積分照射分布を示すグラフである。
【図１４】光学インテグレーターの光入射ファセット上の別の照射分布を示す図である。
【図１５】図１４に示す光入射ファセットによって生成されたＸ方向に沿う走査積分照射分布を示すグラフである。
【図１６】複数の光点が照射分布をその上に生成する第２のミラーアレイの上面図である。
【図１７】図１６の第２のミラーアレイであるが、マイクロミラーのうちの一部が「オフ」状態にあるミラーアレイを示す図である。
【図１８】代替実施形態に関する単一光入射ファセット上の照射分布の上面図である。
【図１９】図１８に示す光入射ファセットによって生成されたＸ方向に沿う走査積分照射分布を示すグラフである。
【図２０ａ】光入射ファセット上のマイクロミラー像及びマスク上の対応する照射分布を示す図である。
【図２０ｂ】光入射ファセット上のマイクロミラー像及びマスク上の対応する照射分布を示す図である。
【図２０ｃ】光入射ファセット上のマイクロミラー像及びマスク上の対応する照射分布を示す図である。
【図２１】図２０ａから図２０ｃに示す照射分布を重ねることによって得られた全照射分布を示すグラフである。
【図２２】図３に示す照明系内に含まれる対物系及び追加の散乱板を通る略子午断面図である。
【図２３】第２のミラーアレイ上の物体区域、アナモフィック対物系、及び光学インテグレーターの光学ラスター要素の略斜視図である。
【図２４】第２のミラーアレイ、対物系、及び光入射ファセットを示す略子午断面図である。
【図２５】図２４の場合と類似の配置であるが、マイクロミラー及び光入射ファセットの軸外配置を有する配置を示す図である。
【図２６】物体区域の群が、光入射ファセット上に結像されない間隙によって分離される実施形態を通る子午断面図である。
【図２７】第２のミラーアレイが受動部分を含む別の実施形態による第２のミラーアレイの上面図である。
【図２８】空間光変調器として使用されるＬＣＤパネル上の照射分布を定めるために回折光学要素が使用される別の実施形態による照明系を通る子午断面図である。
【図２９】重要な方法段階を示す流れ図である。
【発明を実施するための形態】
【００６５】
Ｉ．投影露光装置の基本構成
図１は、本発明による投影露光装置１０の非常に簡略化した斜視図である。装置１０は、例えば、エキシマレーザとして実現することができる光源１１を含む。この実施形態において、光源１１は、１９３ｎｍの中心波長を有する投影光を生成する。他の波長、例えば、２５７ｎｍ又は２４８ｎｍも考えられている。
【００６６】
装置１０は、光源１１によって供給される投影光を以下により詳細に説明する方式で調整する照明系１２を更に含む。照明系１２から射出する投影光は、マスク１６上で照明視野１４を照明する。マスク１６は、図１に細線として略示す複数の小さい特徴部１９によって形成されたパターン１８を含む。この実施形態において、照明視野１４は矩形の形状を有する。しかし、他の形状、例えば、リングセグメントの照明視野１４も企図される。
【００６７】
レンズＬ１からＬ６を含む投影対物系２０が、照明視野１４の範囲のパターン１８を基板２４によって支持された感光層２２、例えば、フォトレジスト上に結像する。シリコンウェーハによって形成することができる基板２４は、感光層２２の上面が、投影対物系２０の像平面に正確に位置するようにウェーハ台（図示せず）上に配置される。マスク１６は、マスク台（図示せず）を用いて投影対物系２０の物体平面に配置される。投影対物系２０は、｜β｜＜１である倍率βを有するので、感光層２２上には照明視野１４の範囲のパターン１８の縮小像１８’が投影される。
【００６８】
投影中に、マスク１６及び基板２４は、図１に示すＹ方向に対応する走査方向に沿って移動する。照明視野１４は、次に、それよりも大きいパターン付き区域を連続的に結像することができるようにマスク１６の上を走査する。基板２４の速度とマスク１６の速度の間の比は、投影対物系２０の倍率βに等しい。投影対物系２０が像を反転させない場合（β＞０）には、図１に矢印Ａ１及びＡ２に示すように、マスク１６と基板２４とは同じ方向に沿って移動する。しかし、本発明は、マスクの投影中にマスク１６及び基板２４が移動しないステッパツールに対して使用することができる。
【００６９】
ＩＩ．視野依存の角度照射分布
図２は、別の例示的なパターン１８を含むマスク１６の拡大斜視図である。簡略化の目的で、パターン１８は、Ｙ方向に沿って延びる特徴部１９のみを含むと仮定する。更に、Ｙ方向に沿って延びる特徴部１９は、感光層２２上にＸ二重極照明設定を用いて最良に結像されると仮定する。
【００７０】
図２では、光束に関連付けられた射出瞳２６ａを円で例示している。光束は、走査サイクル中の最初の時点で照明視野１４のある一定のＸ位置に配置される視野点に向けて収束する。射出瞳２６ａ内でＸ方向に沿って分離された２つの極２７ａが、投影光がこの視野点に向けて伝播する方向を表している。各極２７ａ内に集中する光エネルギは等しいと仮定する。従って、＋Ｘ方向から入射する投影光は、−Ｘ方向から入射する投影光と同じエネルギを有する。特徴部１９がパターン１８にわたって均一に分布されると仮定しているので、このＸ二重極照明設定がマスク１６上の各視野点上に生成されるはずである。
【００７１】
２６ｂで表記している別の射出瞳は、走査サイクルの後の時点で照明視野１４の別のＸ位置に配置される視野点に向けて収束する光束に関連付けられる。各極２７ｂ内に集中する光エネルギは、この場合にも等しい。しかし、極２７ｂに関連付けられる光は、理想的な極２７ａに関連付けられる光の光円錐と比較して傾斜される。この傾斜は、視野点が同じ量の投影光を受光するが、投影光が視野点上に入射する方向が特徴部１９を感光層２２上に結像するのに理想的ではないことを意味する。
【００７２】
２６ｃで表記している更に別の射出瞳は、照明視野１４内の更に別のＸ位置に位置付けられた点に関連付けられる。ここで、投影光が視野点上に入射する方向は、再び特徴部１９を結像するのに理想的であると仮定する。従って、極２７ｃに関連付けられる光円錐は、理想的な射出瞳２６ａに関連付けられる円錐と同じ円錐角及び向きを有する。しかし、極２７ｃは均衡ではなく、すなわち、極２７ｃ内に集中する光エネルギは互いに異なる。従って、＋Ｘ方向から入射する投影光は、−Ｘ方向から入射する投影光よりも低いエネルギを有する。
【００７３】
以上により、射出瞳２６ａで表す理想的な角度照射分布は、照明視野１４内の各Ｘ位置で得られるわけではないことが明らかになる。従って、角度照射分布は視野依存のものであり、すなわち、角度照射分布は、異なる視野点で異なる。
【００７４】
視野依存性は、照明視野１４の範囲でＸ方向だけではなくＹ方向に沿っても発生する可能性がある。次に、マスク１６上の１つの点は、走査サイクル中に照明視野１４を通過する間に異なる角度照射分布に露出される。Ｙ方向（すなわち、走査方向）に沿った視野依存性が発生する場合に、特定の視野点に関する全体効果が、異なる角度照射分布を積分することによって得られることを考慮しなければならない。
【００７５】
理想的な角度照射分布からの実角度照射分布の様々な更に別の視野依存偏差がある。例えば、いくつかの視野点に関連付けられる射出瞳内の極は、変形されるか、不鮮明になるか、又は望ましい不均一照射分布を持たない可能性がある。
【００７６】
理想的な角度照射分布からの視野依存偏差が発生する場合に、一般的に、感光層２２上に形成されるパターン像の品質に対して悪影響を有する。特に、装置１０を用いて生成される構造の寸法が不用意に変化する場合があり、それによってこれらの構造を含むデバイスの機能が損なわれる可能性がある。従って、一般的に、照明視野１４内の照明設定のあらゆる視野依存性を排除することが望ましい。
【００７７】
しかし、時には角度照射分布の視野依存性を意図的に導入することが望ましい。例えば、投影対物系２０又はマスク１６が、感光層２２上のパターン１８の像に対して影響を及ぼす視野依存特性を有する場合に、この導入を好適とすることができる。例えば、製造公差、経年変化現象、又は不均一温度分布の結果として、投影対物系２０の結像特性の変化が発生する可能性がある。マスク１６の視野依存性は、多くの場合に、例えば、異なる向き又は寸法を有する特徴部の結果として発生する。多くの場合に、視野依存の悪影響は、角度照射分布の視野依存性を選択的に導入することによって首尾良く低減することができる。これらの効果のうちの一部は非常に急速に変化するので、時には１回の走査サイクル中に角度照射分布の視野依存性を変更することが望ましい。
【００７８】
ＩＩＩ．照明系の基本構成
図３は、図１に示す照明系１２を通る子午断面図である。明瞭化の目的で、図３の図は大きく簡略化したものであり、正確な縮尺のものではない。特に、これは、異なる光学ユニットが１つ又は極めて少数の光学要素だけによって表されていることを意味する。実際には、これらのユニットは、有意に多くのレンズ及び他の光学要素を含むことができる。
【００７９】
図示の実施形態において、光源１１によって放出された投影光は、ビーム拡大ユニット３２に入射し、ビーム拡大ユニット３２は、拡大されてほぼ平行化された光ビーム３４を出力する。この目的に対して、ビーム拡大ユニット３２は、いくつかのレンズを含むことができ、又は例えばミラー装置として実現することができる。
【００８０】
次いで、投影光ビーム３４は、それに続く平面に可変空間照射分布を生成するのに使用される瞳形成ユニット３６に入射する。この目的に対して、瞳形成ユニット３６は、アクチュエータを用いて２つの直交軸の周りに個々に傾斜させることができる非常に小さいミラー４０の第１のミラーアレイ３８を含む。図４は、２つの平行光ビーム４２、４４が、これらの光ビームが入射するミラー４０の傾斜角に依存して異なる方向にどのように反射されるかを示す第１のミラーアレイ３８の斜視図である。図３及び図４では、第１のミラーアレイ３８は６×６個のミラー４０のみを備え、実際には第１のミラーアレイ３８は、数百個又は数千個にも達するミラー４０を含むことができる。
【００８１】
瞳形成ユニット３６は、照明系１２の光軸ＯＡに対して両方共に傾斜した第１の平面４８ａと第２の平面４８ｂとを有するプリズム４６を更に含む。これらの傾斜面４８ａ、４８ｂでは、入射光は内部全反射によって反射される。第１の面４８ａは、入射光を第１のミラーアレイ３８のミラー４０に向けて反射し、第２の面４８ｂは、ミラー４０から反射された光をプリズム４６の射出面４９に向けて誘導する。従って、射出面４９から射出する光の角度照射分布は、第１のミラーアレイ３８のミラー４０を個々に傾斜させることによって変更することができる。瞳形成ユニット３６に関する更なる詳細は、ＵＳ  ２００９／０１１６０９３  Ａ１から集めることができる。
【００８２】
瞳形成ユニット３６によって生成された角度照射分布は、第１のコンデンサー５０を用いて空間照射分布に変換される。他の実施形態では省略することができるコンデンサー５０は、空間分解方式で入射光を反射するように構成されたデジタル空間光変調器５２に向けて入射光を誘導する。この目的に対して、デジタル空間光変調器５２は、ミラー平面５７に配置されたマイクロミラー５６の第２のミラーアレイ５４を含み、図３の拡大抜粋図Ｃ及び図５の拡大抜粋図Ｃ’で最も明確に見ることができる。しかし、第１のミラーアレイ３８のミラー４０とは対照的に、第２のミラーアレイ５４の各マイクロミラー５６は、２つだけの安定した作動状態、すなわち、入射光を第１の対物系５８を通して光学インテグレーター６０に向ける「オン」状態と、入射光を光吸収面６２に向けて誘導する「オフ」状態とを有する。
【００８３】
第２のミラーアレイ５４は、例えば、ビームプロジェクターにおいて一般的に使用される場合のように、デジタルミラーデバイス（ＤＭＤ）として実現することができる。そのようなデバイスは、２つの作動状態の間で毎秒何千回も切り換えを行うことができる数百万個までのマイクロミラーを含むことができる。
【００８４】
瞳形成ユニット３６と同様に、空間光変調器５２は、光軸ＯＡと垂直に配置された入射面６５と、両方共に照明系１２の光軸ＯＡに対して傾斜された第１の平面６６ａ及び第２の平面６６ｂとを有するプリズム６４を更に含む。これらの傾斜面６６ａ、６６ｂでは、入射光は、内部全反射によって反射される。第１の面６６ａは、入射光を第２のミラーアレイ５４のマイクロミラー５６に向けて反射し、第２の面６６ｂは、マイクロミラー５６から反射された光をプリズム６４の面６８に向けて誘導する。
【００８５】
第２のミラーアレイ５４の全てのマイクロミラー５６が「オン」状態にある場合に、第２のミラーアレイ５４は、実質的に平面ビーム折り返しミラーの効果を有する。しかし、１又は２以上のマイクロミラー５６が「オフ」状態に切り換えられた場合に、ミラー平面５７から射出する光の空間照射分布が修正される。この修正は、マスク１６上の角度光分布の視野依存の修正をもたらすために、以下により詳細に説明する方式に使用することができる。
【００８６】
既に上述のように、プリズム６４から射出した光は第１の対物系５８を通過し、光学インテグレーター６０上に入射する。第１の対物系５８を通過する光はほぼ平行化されるので、第１の対物系５８は、非常に低い開口数（例えば、０．０１又は更に低い）を有することができ、従って、少数の小さい球面レンズを用いて実現することができる。第１の対物系５８は、空間光変調器５２のミラー平面５７を光学インテグレーター６０上に結像する。
【００８７】
光学インテグレーター６０は、図示の実施形態では光学ラスター要素７４の第１のアレイ７０と第２のアレイ７２とを含む。図６は、２つのアレイ７０、７２の斜視図である。各アレイ７０、７２は、Ｘ方向及びＹ方向それぞれに沿って延びる円柱レンズの平行アレイを支持板の各面に含む。２つの円柱レンズが交差する空間領域は、光学ラスター要素７４を形成する。従って、各光学ラスター要素７４を円柱曲面を有するマイクロレンズと見なすことができる。円柱レンズの使用は、特に光学ラスター要素７４の屈折力がＸ方向に沿ってかつＹ方向に沿って異なることになる場合であれば有利である。通例のように光学インテグレーター６０上の正方形の照射分布がスリット形照明視野１４に変換されることになる場合には、異なる屈折力が必要である。以下では、空間光変調器５２に向けて指向する光学ラスター要素７４の面を光入射ファセット７５と呼ぶ。
【００８８】
第１及び第２のアレイ７０、７２それぞれの光学ラスター要素７４は、第１のアレイ７０の１つの光学ラスター要素７４が第２のアレイ７２の１つの光学ラスター要素７４と１対１対応で関連付けられるように互いに前後に配置される。互いに関連付けられた２つの光学ラスター要素７４は、共通軸に沿って位置合わせされ、光学チャネルを定める。光学インテグレーター６０内では、１つの光学チャネル内で伝播する光ビームは、他の光学チャネル内で伝播する光ビームと交差又は重ならない。従って、光学ラスター要素７４に関連付けられた光学チャネルは、互いから光学的に分離される。
【００８９】
この実施形態において、照明系１２の瞳平面７６は、第２のアレイ７２の背後に位置付けられるが、それは、同じくその前に配置することができる。第２のコンデンサー７８は、瞳平面７６と調節可能視野絞り８２が配置された視野絞り平面８０との間でフーリエ関係を確立する。
【００９０】
視野絞り平面８０は、光学インテグレーター６０の光入射ファセット７５内又はその直近に位置付けられたラスター視野平面８４と光学的に共役である。これは、ラスター視野平面８４内の各光入射ファセット７５が、それに関連付けられた第２のアレイ７２の光学ラスター要素７４と第２のコンデンサー７８とによって全体の視野絞り平面８０上に結像されることを意味する。全ての光学チャネル内の光入射ファセット７５上の照射分布の像が視野絞り平面８０内で重なり、それによってマスク１６の非常に均一な照明がもたらされる。マスク１６の均一な照明を表す別の手法は、瞳平面７６内の各光学チャネルによって生成される照射分布に基づくものである。この照射分布は、多くの場合に２次光源と呼ばれる。全ての２次光源は、異なる方向からの投影光で視野絞り平面８０を共通に照明する。２次光源が「暗」である場合に、マスク１６上には、この特定の光源に関連付けられる（小さい）方向範囲からは光が入射しない。従って、瞳平面７６内に形成される２次光源を単純にオン及びオフに切り換えることにより、マスク１６上に望ましい角度光分布を設定することができる。この切り換えは、瞳形成ユニット３６を用いて光学インテグレーター６０上の照射分布を変更することによって達成される。
【００９１】
視野絞り平面８０は、マスク１６がマスク台（図示せず）を用いて配置されたマスク平面８８上に第２の対物系８６によって結像される。調節可能視野絞り８２もマスク平面８８上に結像され、かつ走査方向に沿って延びる照明視野１４の少なくとも短い側辺を定める。
【００９２】
瞳形成ユニット３６及び空間光変調器５２は、制御ユニット９０に接続され、これは、次に、パーソナルコンピュータとして示す全体システム制御器９２に接続される。制御ユニット９０は、マスク平面８８内の角度照射分布が均一であるか、又は望ましい視野依存角度照射分布が得られるように瞳形成ユニット３６のミラー４０及び空間光変調器５２のマイクロミラー５６を制御するように構成される。
【００９３】
以下では、これがどのように達成されるかを説明する。
【００９４】
ＩＶ．照明系の機能及び制御
１．瞳形成
図７は、瞳形成ユニット３６が、空間光変調器５２のマイクロミラー５６上にどのように照射分布を生成するかを略示している。簡略化の目的で、プリズム４６、６４を示していない。
【００９５】
第１のミラーアレイ３８の各ミラー４０は、それぞれのミラー４０によって生成される偏向角を変更することによって可変である位置で空間光変調器５２のミラー平面５７上のスポット９４を照明するように構成される。従って、ミラー４０をその傾斜軸の周りに傾斜させることにより、スポット９４をミラー平面５７にわたって自由に移動することができる。このようにして、ミラー平面５７上に様々な異なる照射分布を生成することができる。９５において示すように、スポット９４が部分的又は完全に重なることも可能である。次に、段階的な照射分布を生成することもできる。
【００９６】
図８は、空間光変調器５２内に含まれる第２のミラーアレイ５４の図５と類似の斜視図である。この図では、瞳形成ユニット３６が、各々が正確に６×６個のマイクロミラー５６にわたって延びる２つの正方形の極２７の照射分布を第２のミラーアレイ５４上に生成したと仮定している。極２７は、Ｘ方向に沿って点対称に配置される。
【００９７】
対物系５８は、図９に示すように、光学インテグレーター６０の光入射ファセット７５上に上述の照射分布の像を形成する。ここで、第２のミラーアレイ５４上に形成される照射分布が光学インテグレーター６０の光入射ファセット７５上で同一に再現されるように（対物系５８の倍率に起因して起こり得るスケーリングを除いて）、全てのマイクロミラー５６が「オン」状態にあると仮定している。簡略化の目的で、第２のミラーアレイの隣接マイクロミラー５６を分離する間隙の像を無視している。光入射ファセット７５上に示す規則的な格子は、マイクロミラー５６の境界の像を表すが、この像は、極２７の外側には出現せず、図９では、単に例示の理由で示したものである。
【００９８】
２．視野依存性
光入射ファセット７５は、ラスター視野平面８４に位置するので、光入射ファセット７５上の照射分布は、第２のアレイ７２の光学ラスター要素７４と第２のコンデンサー７８とを通して視野絞り平面８０上に結像される。
【００９９】
次いで、この結像を図３からの拡大抜粋図であって正確な縮尺のものではない図１０を参照して以下に説明する。この図では、光学インテグレーター６０の光学ラスター要素７４の２対のみと、第２のコンデンサー７８と、中間視野絞り平面８０とを略示している。
【０１００】
以下では、単一光学チャネルに関連付けられる２つの光学ラスター要素７４を第１のマイクロレンズ１０１及び第２のマイクロレンズ１０２と呼ぶ。時にマイクロレンズ１０１、１０２を視野ハニカムレンズ及び瞳ハニカムレンズと呼ぶ。特定の光学チャネルに関連付けられるマイクロレンズ１０１、１０２の各対は、瞳平面７６内に２次光源１０６を生成する。図１０の上側半分では、それぞれ実線及び一点鎖線で示す収束光束Ｌ１ａ、Ｌ２ａ、及びＬ３ａは、第１のマイクロレンズ１０１の光入射ファセット７５の異なる点上に入射すると仮定している。２つのマイクロレンズ１０１、１０２、及びコンデンサー７８を通った後に、各光束Ｌ１ａ、Ｌ２ａ、及びＬ３ａは、焦点Ｆ１、Ｆ２、Ｆ３にそれぞれ収束する。図１０の上側半分からは、光線が光入射ファセット７５上に入射する点と、これらの光線が視野絞り平面８０（又はいずれかの他の共役視野平面）を通過する点とが光学的に共役であることが明らかになる。
【０１０１】
図１０の下側半分は、平行化された光束Ｌ１ｂ、Ｌ２ｂ、及びＬ３ｂが、第１のマイクロレンズ１０１の光入射ファセット７５の異なる領域上に入射する場合を示している。これは、光学インテグレーター６０上に入射する光は通常は実質的に平行化されるので、より現実的な場合である。光束Ｌ１ｂ、Ｌ２ｂ、及びＬ３ｂは、第２のマイクロレンズ１０２に位置する共通の焦点Ｆにフォーカスされ、次いで、視野絞り平面８０をここで再度平行化されて通過する。ここでもまた、光学的共役性の結果として、光束Ｌ１ｂ、Ｌ２ｂ、及びＬ３ｂが光入射ファセット７５上に入射する領域が、視野絞り平面８０内で照明される領域に対応することを見ることができる。当然ながら、マイクロレンズ１０１、１０２がＸ方向とＹ方向の両方に沿って屈折力を有する場合に、これらの考察は、Ｘ方向とＹ方向とで別個に適用される。
【０１０２】
従って、光入射ファセット７５上の各点は、中間視野絞り平面８０内（従って、マスク１６上の照明視野１４内）の共役点に直接的に対応する。すなわち、光入射ファセット７５上の点上の照射に選択的に影響を及ぼすことができる場合に、照明系の光軸ＯＡに対する光入射ファセット７５の位置に依存する方向から照明視野１４内の共役点上に入射する光線の照射に影響を及ぼすことができる。光軸ＯＡから光入射ファセット７５までの間の距離が大きい程、当該光線がマスク１６上の点上に入射する際の角度は大きい。
【０１０３】
３．光入射ファセット上の照射の修正
照明系１２では、光入射ファセット７５上の点上の照射を修正するのに空間光変調器５２が使用される。図９では、各極２７が、マイクロミラー５６の像である複数の小区域にわたって延びていることを見ることができる。マイクロミラーが「オフ」状態に入れられた場合に、光入射ファセット７５上の共役区域は照明されなくなり、その結果、この特定の光入射ファセット７５に関連付けられる（小さい）方向範囲からは、投影光がマスク上の共役区域上に入射することがなくなる。
【０１０４】
これをそれぞれ空間光変調器５２のマイクロミラー５６及び光学インテグレーター６０の光入射ファセット７５の上面図である図１１ａ及び１１ｂを参照してより詳細に以下に説明する。
【０１０５】
第２のミラーアレイ５４上の太い点線は、このアレイのミラー平面５７を各々が３×３個のマイクロミラー５６を含む複数の物体区域１１０に分割する。対物系５８は、光学インテグレーター６０上に各物体区域１１０の像を形成する。以下ではこの像を像区域１１０’と呼ぶ。各像区域１１０’は、光入射ファセット７５と完全に一致し、すなわち、像区域１１０’は、光入射ファセット７５と同じ形状、サイズ、及び向きを有し、光入射ファセット７５上に完全に重ね合わされる。各物体区域１１０は３×３個のマイクロミラー５６を含むので、像区域１１０’も同じくマイクロミラー５６の３×３個の像５６’を含む。
【０１０６】
図１１ａでは、瞳形成ユニット３６による投影光で完全に照明される８つの物体区域１１０が存在する。これら８つの物体区域１１０は、２つの極２７を形成する。物体区域１１０のうちの一部において、黒色の正方形として表す１つ、２つ、又は３つ以上のマイクロミラー５６ｄが、入射投影光が対物系５８ではなく吸収体６２に向けて誘導される「オフ」状態になるように制御ユニット９０によって制御されたことを見ることができる。従って、マイクロミラーを「オン」状態と「オフ」状態の間で切り換えることにより、図１１ｂに示すように、投影光が光入射ファセット７５上の像区域１１０’の範囲の対応する領域上に入射することを変更可能に阻止することができる。以下ではこれらの領域を暗スポット５６ｄ’と呼ぶ。
【０１０７】
図１０を参照して上述したように、光入射ファセット７５上の照射分布は視野絞り平面８０上に結像される。図１２の上側部分に示すように、光入射ファセット７５が１又は２以上の暗スポット５６ｄ’を含む場合に、関連付けられた光学チャネルによってマスク平面８８内に生成される照射分布もまた、ある一定のＸ位置で暗スポットを有することになる。従って、マスク上の点が照明視野１４を通過する場合に、全走査積分照射は、図１３のグラフに示すように、照明視野１４内の点のＸ位置に依存することになる。照明視野１４の中央にある点は、暗スポットを通過しないことで最も高い走査積分照射を受けることになり、照明視野１４の長手端部にある点は、異なる程度まで低減された全照射を受け入れることになる。従って、空間光変調器５２の１又は２以上のマイクロミラー５６を選択的に「オン」状態から「オフ」状態に入れることにより、マスク１６上の角度光分布の視野依存性を修正することができる。
【０１０８】
上記では、光入射ファセット７５のうちの１つの上に結像される各物体区域１１０が３×３個のマイクロミラー５６のみを含むと仮定しなければならなかった。従って、角度光分布の視野依存性を修正するのに使用することができる交差走査方向Ｘに沿った分解能は比較的粗い。各物体区域１１０の範囲のマイクロミラー５６の個数を増加させると、この分解能を改善することができる。
【０１０９】
図１４は、各物体区域１１０内に２０×２０個のマイクロミラー５６が含まれる実施形態に関する光入射ファセット７５のうちの１つの上面図を示している。次に、図１５に示すグラフに示すように、Ｘ方向に沿ってより複雑な走査積分照射分布をマスク１６上で達成することができる。
【０１１０】
４．クリッピング
上記では、瞳形成ユニット３６が、正確に４つの隣接物体区域１１０にわたって延びる第２のミラーアレイ５４上の極２７を照明すると仮定した。しかし、一般的に、鮮明な縁部を有するそのような照射分布を生成するのは困難になる。
【０１１１】
空間光変調器５２は、照明されることになる物体区域１１０の外側に位置するマイクロミラー５６を「オフ」状態に入れることによってミラー平面５７内の不鮮明な照射分布をクリッピングするのに使用することができる。
【０１１２】
このクリッピングを第２のミラーアレイ５４上の照射分布９６を示す図１６及び図１７に例示している。ここでは、瞳形成ユニット３６のミラー４０によって生成される可動光点９４が、４つの極を形成するように重ね合わされると仮定している。空間光変調器５２の全てのマイクロミラー５６が、図１６に示すように「オン」状態にある場合に、不鮮明な照射分布９６が光入射ファセット７５上に結像されることになる。望ましい物体区域１１０を取り囲むマイクロミラー５６が、図１７に示すように「オフ」状態に入れられた場合に、これらのマイクロミラーは、極の区切る枠を形成し、従って、光入射ファセット上に強度分布の鮮明な縁部を生成する。
【０１１３】
５．相対回転
これまでに記述した実施形態において、マイクロミラー５６は、物体区域１１０の境界と平行に位置合わせされると仮定した。マイクロミラー５６によって形成される矩形格子は、次に、光入射ファセット７５によって形成される矩形格子と平行である。それによって図１３及び図１５に示すように、マイクロミラー５６の１つの「列」に沿った照射が常に均一である照射分布がもたらされる。従って、光入射ファセット７５上に階段状のものに限った照射分布を生成することができる。
【０１１４】
時には、階段状のものではなく、傾斜部分を含む照射分布を生成することが望ましい。この照射分布は、図１８に示すように２つの矩形格子が互いに平行に配置されず、角度αを有する場合に達成することができる。ここでは、マイクロミラー５６の像５６’は、光入射ファセット７５の側辺と角度αを形成する格子１１４を形成する。次に、隣接マイクロミラー５６の中心は、光入射ファセット７５の境界線に対して同じ角度αを形成して像を有する直線１１６に沿って位置合わせされる。この角度αが、ｍ＝０，１，２，３，．．．である時にｍ・４５°と明確に異なる場合に、照射分布は、図１３及び図１５に示すような階段状分布の形状を持たないことになる。
【０１１５】
図１９は、図１８に示す回転された配置に関してＸ方向に沿って走査積分された照射分布を示すグラフである。図１８には、いくつかの特定のＸ位置を破線に示している。角度αが、ｍ＝０，１，２，３，．．．である時にｍ・４５°と明確に異なる場合には、劣化が軽減し、それによってより多くの異なるＸ位置で望ましい減衰を達成することができる。言い換えれば、以上により、角度照射分布の視野依存性を修正するのに利用可能なＸ方向に沿った分解能を実質的に高めることができる。
【０１１６】
６．間隙−横方向変位
上述のように、通常、第２のミラーアレイ３８の隣接マイクロミラー５６の間に小さい間隙が形成されることは不可避である。光入射ファセット７５上、更にマスク１６上にもこれらの間隙の像が形成される。これらの像が交差走査方向Ｘと平行に延びる場合に、これは、走査作動からもたらされる積分効果に起因して殆ど心配はない。しかし、走査方向Ｙと平行に延びる暗線は、積分効果によって補償することはできないと考えられる。
【０１１７】
図２０ａは、間隙の像を１１８’で表記した光入射ファセット７５のうちの１つの上面図を上側部分に示している。図２０ａの下側部分にあるグラフは、この特定の光入射ファセット７５によってマスク平面８８内に生成される交差走査方向Ｘに沿った照射分布を示している。全ての光入射ファセット７５が同じＸ位置に暗線１２０を生成することになる場合に、これらの位置では投影光がマスク１６上の点に到達しないことになる。
【０１１８】
図２０ｂ及び図２０ｃは、間隙像１１８’が交差走査方向Ｘに沿って異なる度合で横方向に変位した他の光入射ファセット７５を示している。その結果、これらの図の下側部分に示す照射分布内の暗線１２０も横方向に変位される。各光学チャネルによって生成される照射分布は、マスク平面８８内で重ね合わされるので、暗線１２０は、図２１に示すように平均化される。光入射ファセット７５の個数が多い程、更に暗線１２０が小さい程、マスク平面８８内の照射分布Ｉ（ｘ）は均一な分布に近づく。
【０１１９】
６．間隙−散乱板
これに代えて又はこれに加えて、間隙像１１８’によってマスク平面８８上に引き起こされる暗線を回避するために、光学光変調器５２とマスク平面８８の間の光路内に散乱板１２２を配置することができる。散乱板１２２の適切な位置は、光学光変調器５２と対物系５８の間、対物系５８と光学インテグレーター６０の間、又は視野絞り平面８０の近くである。
【０１２０】
図２２は、空間光変調器５２のいくつかのマイクロミラー５６と、対物系５８と、これらの間に配置された散乱板１２２とを示す略子午断面図である。２つの隣接マイクロミラー５６の間の間隙１１８が幅ｄを有すると仮定し、散乱板１２２と空間光変調器５２の光射出面５７との間の軸線方向距離をｂで表記している。散乱板１２２の固有散乱角βが約ｄ／ｂである場合に、光入射ファセット７５上に形成される間隙１１８の像は十分に不鮮明である。散乱角βがｄ／ｂよりも有意に大きい場合に、照射分布及び角度照射分布の視野依存性に対する望ましい空間分解能は低下する。散乱角βが過度に小さい場合に、間隙の像は、光入射ファセット７５上で依然として顕著であることになる。
【０１２１】
７．矩形物体区域
上述の実施形態において、走査方向Ｙに沿ったマイクロミラー５６の個数と交差走査方向Ｘに沿ったマイクロミラー５６の個数とは等しいと仮定した。従って、正方形のマイクロミラー５６の矩形格子は、光学インテグレーター６０の正方形の光入射ファセット７５内に完全に嵌り込む。
【０１２２】
交差走査方向Ｘに沿ったマイクロミラー５６の個数ＮXは、照射分布及び角度照射分布の視野依存性を調節するのに利用可能な分解能を決定する。この個数は、可能な限り多くなければならない。
【０１２３】
走査方向Ｙに沿ったマイクロミラー５６の個数ＮYは、走査作動によって引き起こされる積分効果に起因して有意に少ない場合がある。例示的には、走査方向Ｙに沿って隣接する複数の光学チャネルは、走査サイクル中にマスク１６上の点上の照射の低下に寄与することができる。これは、交差走査方向Ｘに沿って隣接する光学チャネルには当て嵌まらない。
【０１２４】
これらの要件は、物体区域１１０が、交差走査方向Ｘに沿った長さが走査方向Ｙに沿った物体区域の長さよりも大きい（例えば、２倍、好ましくは、少なくとも５倍大きい）十分に矩形である場合があることを示唆している。マイクロミラー５６が方向ＸとＹとに沿って等しい寸法を有すると仮定すると、上述のことは、交差走査方向Ｘに沿ったマイクロミラー５６の個数ＮXが走査方向Ｙに沿った個数ＮYよりも多いことを意味する。
【０１２５】
矩形物体区域１１０が、正方形光入射ファセット７５上に結像されることになる場合に、対物系５８はアナモフィックのものでなければならない。より具体的には、倍率Ｍの絶対値が、走査方向Ｙよりも交差走査方向Ｘに沿って小さく、すなわち、｜ＭX｜＜｜ＭY｜である必要がある。これを図２３に例示しており、この図では、単一矩形物体区域１１０と光学ラスター要素７４の光入射ファセット７５との間に対物系５８の２つの円柱レンズ１２４、１２６が配置されている。交差走査方向Ｘに沿った物体区域１１０の長さがＬXであり、走査方向Ｙに沿った長さがＬYである場合に、｜ＭX｜＜｜ＭY｜は、ＬY／ＬXに等しくなければならない。
【０１２６】
類似の結果は、対物系５８ではなく、それに続くコンデンサー７８が、その焦点距離ｆがＸ方向とＹ方向で異なるようにアナモフィックのものである場合に達成される。対物系５８が回転対称であり、従って、ＭX＝ＭYである場合に、光入射ファセット７５上の照射分布は、物体区域１１０と同じアスペクト比ＬY／ＬXを有する矩形になる。次に、この矩形照射分布は、視野絞り平面８０及びそれに続くマスク平面８８内で正方形照射分布が得られるようにアナモフィックコンデンサー７８によって拡大される。この手法は、方向Ｘ、Ｙに沿って異なるコンデンサーの焦点距離を光学ラスター要素７４の屈折力によって補償しなければならないので、光学インテグレーター６０の再設計を必要とする場合がある。
【０１２７】
８．ミラー平面の配置
通常は、投影光の主光線が光学インテグレーター６０上に垂直に入射する場合が好ましい。次に、対物系５８によって光入射ファセット７５上に結像されるミラー平面５７も、図２４に示すように光軸ＯＡと垂直に配置しなければならない。マイクロミラー５６と光入射ファセット７５とのそのような平行配置では、マイクロミラー５６は、それらが「オン」状態にある場合に、ゼロとは明確に異なる偏向角を生成しなければならない。これは、全てのミラー面が、それらが「オン」状態にある場合に単一平面に配置される従来のデジタルミラーデバイス（ＤＭＤ）とは異なる。
【０１２８】
これに加えて又はこれに代えて、第２のミラーアレイ５４及び光入射ファセット７５は、対物系５８の物体視野及び像視野それぞれの軸外領域に配置することができる。図２５に示すように、次に、物体側ではテレセントリックではないが、像側でテレセントリックであるような対物系５８を使用することが可能である。これは、物体側で光軸ＯＡとある角度を形成する主光線が、依然として像側では光軸ＯＡと平行であることを意味する。
【０１２９】
９．物体区域のグループ分け
各物体区域１１０内のマイクロミラー５６の個数、更に光学チャネルの個数（従って、光入射ファセット７５の個数）が多くなる場合に、第２のミラーアレイ５４内のマイクロミラー５６の全数が莫大になる可能性がある。そのような莫大な個数のマイクロミラー５６を含む単一の第２のミラーアレイ５４を設けることは困難である可能性があるので、第２のミラーデバイスをいくつかのサブユニットに分割するように考えられている。より具体的には、第２のミラーアレイ５４は、光入射ファセット上に結像されない暗区域（すなわち、投影光が射出しない区域）によって互いから分離されたいくつかの物体区域群から組み合わせることができる。各群は、単一デバイス、例えば、デジタルミラーデバイス（ＤＭＤ）として実現することができる。
【０１３０】
図２６は、上述の実施形態による第２のミラーアレイ５４及び対物系５８を通る略子午断面図である。第２のミラーアレイ５４は、各々がデジタルミラーデバイス（ＤＭＤ）として実現される２つの群５４−１、５４−２を含むと仮定している。各群５４−１、５４−２は、複数のマイクロミラー５６にわたって延びる３つの物体区域１１０を含む。２つの群５４−１、５４−２は、吸収性を有して瞳形成ユニット３６がその上に投影光を向けてはならない暗区域１３０によって分離される。
【０１３１】
対物系５８は、物体区域１１０の像１１０’をそれらが光学インテグレーター６０上で少なくとも実質的に継ぎ目なく当接するように組み合わせるように構成される。光学インテグレーター６０上では、各像区域１１０’は、光入射ファセット７５のうちの１つと完全に一致する。この目的に対して、対物系５８は、第１のレンズ１３４のアレイを用いて中間像平面１３２内に物体区域１１０の拡大像を生成する。対物系５８は、中間像平面１３２に配置された第２のレンズ１３６のアレイを更に含む。次に、共通の結像光学系１３８は、これらの群の拡大像が既に当接している中間像平面１３４を光学インテグレーター６０の光入射ファセット７５上に結像する。このようにして、群５４−１、５４−２の間の暗区域１３０が対物系５８によって光学インテグレーター６０上に結像されることはない。
【０１３２】
１０．能動区域及び受動区域
全ての光入射ファセット７５上の光照射分布を修正することができるように莫大な個数のマイクロミラー５６を設ける代わりに、全部ではなく、一部の光入射ファセット７５のみの上の光照射分布を修正するように考えることができる。
【０１３３】
この手法を第２のミラー５４の上面図である図２７に例示している。各々が複数のマイクロミラー５６を含む少なくとも１つ、好ましくはいくつかの物体区域１１０を含む群５４−１から５４−６が、ミラー平面５７内に配置される。この実施形態においても、各群は、デジタルミラーデバイス（ＤＭＤ）として実現することができる。以下では、物体区域１１０を能動物体区域と呼ぶ。
【０１３４】
群５４−１から５４−６の外側にある区域全体は、群５４−１から５４−６が受け取られる開口部１４２が設けられた平面反射面１４０として構成される。反射面１４０は、光入射ファセット７５上に同じく結像されるが、空間光変調が不可能である受動物体区域の組合せとして形成される。従って、第２のミラーアレイ５４全体は、ある一定の部分（すなわち、群５４−１から５４−６が配置された部分）を個々に制御することができる平面ミラーの効果を有する。
【０１３５】
この手法は、通常は補正目的で全ての光入射ファセット７５上の照射分布を修正する必要があるわけではないことを利用する。例えば、二重極照明設定の場合の極均衡の補正は、一方の極内の照射を低減することしか必要とせず、他方の極内の照射分布はそのままに留まることができる。この理由から、群５４−１から５４−６は、光軸ＯＡに関して点対称に配置される。次に、あらゆる任意の極配置に関して、極の一方によって照明される群内に含まれる能動物体区域１１０を用いて視野依存方式で照射を低減することができる。
【０１３６】
この関連において、能動物体区域を有する群を照明する極内により多くの投影光を集光することが好適である場合がある。次に、この極は、照射分布及び／又は角度照射分布の望ましい視野依存補正を実施するために使用することができる。そのような補正に不可避に関わっている光損失（小さくはあるが）は、極の初期の不均衡な照明を補償する。
【０１３７】
図２７では、上述のことを２つの極２７ａ、２７ｂに対して例示している。第３の群５４−３に位置する方の極２７ａは、受動区域１４０内にある他方の極２７ｂよりも明るい。
【０１３８】
１１．回折光学要素及びＬＣＤ
図２８は、照明系１２の代替実施形態の図３と類似の子午断面図である。この照明系では、瞳形成ユニット５２は、回折光学要素１４２と、ズーム光学系１４４と、１対のアキシコン要素１４６、１４８とによって置換される。
【０１３９】
この実施形態における空間光変調器５２は、制御ユニット９０によって個々に制御することができる光学活性を有する微小ＬＣＤセルの２次元アレイを含むＬＣＤパネルによって形成される。光源１１によって生成される投影光が十分に偏光されない場合に、空間光変調器５２の前の光路内に追加の偏光子を挿入することができる。
【０１４０】
当然ながら、例えば、回折光学要素１４２が第２のミラーアレイ５４と共に空間光変調器５２として使用されるように、図３に図示の実施形態と図２８に図示の実施形態とを異なる手法で組み合わせることができる。
【０１４１】
Ｖ．重要な方法段階
ここで、本発明の重要な方法段階を図２９に示す流れ図を参照して要約する。
【０１４２】
第１の段階Ｓ１において、空間光変調器上の物体区域が完全に照明される。
【０１４３】
第２の段階Ｓ２において、物体区域が、光学インテグレーターの光入射ファセット上に結像される。
【０１４４】
第３の段階Ｓ３において、物体区域内の点に関連付けられた全ての光は、光入射ファセット上に入射することが阻止される。
【符号の説明】
【０１４５】
２７  極
５６  マイクロミラー
５６’  マイクロミラーの像
７５  光入射ファセット
１１０  物体区域
１１０’  物体区域の像
【図１】
0006343344.tif 000006
【図２】
0006343344.tif 000007
【図３】
0006343344.tif 000008
【図４】
0006343344.tif 000009
【図５】
0006343344.tif 000010
【図６】
0006343344.tif 000011
【図７】
0006343344.tif 000012
【図８】
0006343344.tif 000013
【図９】
0006343344.tif 000014
【図１０】
0006343344.tif 000015
【図１１ａ−１１ｂ】
0006343344.tif 000016
【図１２】
0006343344.tif 000017
【図１３】
0006343344.tif 000018
【図１４】
0006343344.tif 000019
【図１５】
0006343344.tif 000020
【図１６−１７】
0006343344.tif 000021
【図１８】
0006343344.tif 000022
【図１９】
0006343344.tif 000023
【図２０ａ−２０ｃ】
0006343344.tif 000024
【図２１】
0006343344.tif 000025
【図２２】
0006343344.tif 000026
【図２３】
0006343344.tif 000027
【図２４】
0006343344.tif 000028
【図２５】
0006343344.tif 000029
【図２６】
0006343344.tif 000030
【図２７】
0006343344.tif 000031
【図２８】
0006343344.tif 000032
【図２９】
0006343344.tif 000033